(57)【要約】
【課題】  本考案は、硬さの異なる部分を有する枕をウレタンフォームで立体的に一体形成すると共に製造も簡単な異硬度ウレタン枕を提供する。
【解決手段】  この異硬度ウレタン枕１０はウレタンフォーム１２で立体的に一体形成されている。異硬度ウレタン枕１０の横方向中央部で手前側には枕使用者の頚椎部を支持する頚椎支持部１４が形成され、異硬度ウレタン枕１０の横方向中央部で奥側には枕使用者の頭部を支持する頭部支持部１６が形成されている。また、異硬度ウレタン枕１０の横方向両側には頚椎支持部１４及び頭部支持部１６を挟むようにサイド部１８，１８が形成されている。頚椎支持部１４は頭部支持部１６よりも高く形成され、また、サイド部１８，１８は頚椎支持部１４、頭部支持部１６よりも高く盛り上がって形成されている。
【選択図】  図１
0003101489.tif 000002
【実用新案登録請求の範囲】
【請求項１】
ウレタンフォームで立体的に一体形成された異硬度ウレタン枕であって、中央部にやや硬めに形成された頚椎支持部と、両側に前記頚椎支持部よりも盛り上がって形成されると共にやや軟らかめに形成されたサイド部と、を有してなることを特徴とする異硬度ウレタン枕。
【請求項２】
モールドにウレタンフォームの原料を注入し、モールド内でウレタンフォームの原料を反応させてウレタンフォームで立体的に一体形成された異硬度ウレタン枕であって、中央部にやや硬めに形成された頚椎支持部と、両側に前記頚椎支持部よりも盛り上がって形成されると共にやや軟らかめに形成されたサイド部と、を有してなることを特徴とする異硬度ウレタン枕。
【請求項３】
モールドにウレタンフォームの原料を注入し、モールド内でウレタンフォームの原料を反応させてウレタンフォームで立体的に一体形成された異硬度ウレタン枕であって、この異硬度ウレタン枕の横方向中央部手前側にやや硬めに形成されて枕使用者の頚椎部を支持する頚椎支持部と、前記異硬度ウレタン枕の横方向中央部奥側にやや硬めに形成されて枕使用者の頭部を支持する頭部支持部と、前記異硬度ウレタン枕の横方向両側に前記頚椎支持部及び頭部支持部よりも高く盛り上がって形成されると共にやや軟らかめに形成されたサイド部と、を有してなることを特徴とする異硬度ウレタン枕。
【請求項４】
モールドにウレタンフォームの原料を注入し、モールド内でウレタンフォームの原料を反応させてウレタンフォームで立体的に一体形成された異硬度ウレタン枕であって、この異硬度ウレタン枕の横方向中央部手前側にやや硬めに形成されて枕使用者の頚椎部を支持する頚椎支持部と、前記異硬度ウレタン枕の横方向中央部奥側にやや硬めに形成されて枕使用者の頭部を支持する頭部支持部と、前記異硬度ウレタン枕の横方向両側に緩やかに傾斜した傾斜部を有して前記頚椎支持部及び頭部支持部よりも高く盛り上がって形成されると共にやや軟らかめに形成されたサイド部と、を有してなることを特徴とする異硬度ウレタン枕。
【考案の詳細な説明】
【技術分野】
【０００１】
本考案は、硬さの異なる部分を有する枕をウレタンフォームで立体的に一体形成した異硬度ウレタン枕に関する。
【背景技術】
【０００２】
枕の中には枕使用者の頚椎部を支持する頚椎支持部、枕使用者の頭部を支持する頭部支持部、枕使用者が寝返り等をした場合に枕使用者の側頭部を支持するサイド部等がそれぞれ形成されたタイプの枕がある。
このタイプの枕においては頚椎支持部や頭部支持部は枕使用者の頚椎部や頭部を確実に支持するためにやや硬めに形成され、サイド部は枕使用者が寝返り等をした場合にソフトな感触が得られるようにやや軟らかめに形成されるのが望ましい。
このため、ウレタンフォームで前記タイプの枕を製造するためには頚椎支持部、頭部支持部、サイド部を硬さの異なるウレタンフォームでそれぞれ形成した後、頚椎支持部、頭部支持部、サイド部を接着剤等で貼り合せて一つの枕を完成させる必要がある。
しかし、頚椎支持部、頭部支持部、サイド部を接着剤等で貼り合せると当該接着部分が硬くなってしまい枕使用時に感触面等で違和感を感じ、その結果安眠の妨げになるという不具合がある。
また、頚椎支持部、頭部支持部、サイド部を貼り合わせて枕を製造するとなると枕の製造工程が多くなって作業が煩雑になると共に製品価格が高くなってしまうという不具合がある。
【考案の開示】
【考案が解決しようとする課題】
【０００３】
本考案は、上記事実に鑑みなされたものであり硬さの異なる部分を有する枕をウレタンフォームで立体的に一体形成すると共に製造も簡単な異硬度ウレタン枕を提供するものである。
【課題を解決するための手段】
【０００４】
請求項１の考案は、ウレタンフォームで立体的に一体形成された異硬度ウレタン枕であって、中央部にやや硬めに形成された頚椎支持部と、両側に前記頚椎支持部よりも盛り上がって形成されると共にやや軟らかめに形成されたサイド部と、を有してなることを特徴としている。
請求項２の考案は、モールドにウレタンフォームの原料を注入し、モールド内でウレタンフォームの原料を反応させてウレタンフォームで立体的に一体形成された異硬度ウレタン枕であって、中央部にやや硬めに形成された頚椎支持部と、両側に前記頚椎支持部よりも盛り上がって形成されると共にやや軟らかめに形成されたサイド部と、を有してなることを特徴としている。
請求項３の考案は、モールドにウレタンフォームの原料を注入し、モールド内でウレタンフォームの原料を反応させてウレタンフォームで立体的に一体形成された異硬度ウレタン枕であって、この異硬度ウレタン枕の横方向中央部手前側にやや硬めに形成されて枕使用者の頚椎部を支持する頚椎支持部と、前記異硬度ウレタン枕の横方向中央部奥側にやや硬めに形成されて枕使用者の頭部を支持する頭部支持部と、前記異硬度ウレタン枕の横方向両側に前記頚椎支持部及び頭部支持部よりも高く盛り上がって形成されると共にやや軟らかめに形成されたサイド部と、を有してなることを特徴としている。
請求項４の考案は、モールドにウレタンフォームの原料を注入し、モールド内でウレタンフォームの原料を反応させてウレタンフォームで立体的に一体形成された異硬度ウレタン枕であって、この異硬度ウレタン枕の横方向中央部手前側にやや硬めに形成されて枕使用者の頚椎部を支持する頚椎支持部と、前記異硬度ウレタン枕の横方向中央部奥側にやや硬めに形成されて枕使用者の頭部を支持する頭部支持部と、前記異硬度ウレタン枕の横方向両側に緩やかに傾斜した傾斜部を有して前記頚椎支持部及び頭部支持部よりも高く盛り上がって形成されると共にやや軟らかめに形成されたサイド部と、を有してなることを特徴としている。
【考案の効果】
【０００５】
本考案の異硬度ウレタン枕は、ウレタンフォームで枕を立体的に一体形成したので接着部分が存在しないため感触面等で違和感を感じることなく、接着部分による安眠を妨げられることがないという優れた効果を有する。
また、本考案の異硬度ウレタン枕は、ウレタンフォームで立体的に一体形成されるので製造が簡単であると共に製品価格を抑えることができるという優れた効果を有する。
【考案を実施するための最良の形態】
【０００６】
考案を実施するために最良の形態の例として以下のような実施例を示す。
【実施例１】
【０００７】
図１〜図５には本考案の異硬度ウレタン枕の第１実施例が示されている。
図１〜図３に示されるように、この異硬度ウレタン枕１０はウレタンフォーム１２で立体的に一体形成されている。この実施例では一つのモールドにウレタンフォームの原料であるイソシアネートとポリオールの混合液を注入し、モールド内でイソシアネートとポリオールを反応させることによりウレタンフォーム１２で異硬度ウレタン枕１０を立体的に一体形成している。
前記異硬度ウレタン枕１０の横方向（図２左右方向）中央部で手前側（図２下側）には枕使用者の頚椎部を支持する頚椎支持部１４が形成され、前記異硬度ウレタン枕１０の横方向中央部で奥側（図２上側）には枕使用者の頭部を支持する頭部支持部１６が形成されている。また、前記異硬度ウレタン枕１０の横方向両側には頚椎支持部１４及び頭部支持部１６を挟むようにサイド部１８，１８が形成されている。
図４に示されるように、前記頚椎支持部１４は頭部支持部１６よりも高く形成され、また、サイド部１８，１８は前記頚椎支持部１４、頭部支持部１６よりも高く盛り上がって形成されている。なお、前記サイド部１８，１８は緩やかに傾斜した傾斜部１８Ａを介して盛り上がって形成されているため、枕使用者が寝返り等をして横寝状態になる場合も円滑に横寝状態に移動できるようになっている。
前記頚椎支持部１４及び頭部支持部１６はそれぞれ枕使用者の頚椎部及び頭部を確実に支持できるようにやや硬めに形成されている。また、前記サイド部１８，１８は枕使用者が寝返り等をして横寝状態になって側頭部がサイド部１８に当接してもソフトな感触が得られるようにやや軟らかめに形成されている。
【０００８】
前記異硬度ウレタン枕１０をモールド２０を使用して製造する場合について説明する。
図５に示されるように、このモールド２０は前記異硬度ウレタン枕１０の背面部を製造する第１モールド部２２と正面部を製造する第２モールド部２４とから構成され、モールド２０の内部には空洞部２６が形成されている。また、前記モールド２０には注入孔２８が形成され、ウレタンフォーム１２の原料であるイソシアネートとポリオールの混合液を前記空洞部２６に注入できるようになっている。
前記第２モールド部２４には異硬度ウレタン枕１０の頚椎支持部１４を形成する頚椎支持部当接面２４Ａと頭部支持部１６を形成する頭部支持部当接面２４Ｂとサイド部１８，１８を形成するサイド部当接面２４Ｃ，２４Ｃが形成されている。
前記ウレタンフォーム１２の硬さは原料であるイソシアネートとポリオールの混合割合によって決定され、イソシアネートの割合が多いほどウレタンフォーム１２は硬くなり、ポリオールの割合が多いほどウレタンフォーム１２は軟らかくなるようになっている。従って、前記頚椎支持部１４及び頭部支持部１６をやや硬めに形成するために第２モールド部２４の頚椎支持部当接面２４Ａ及び頭部支持部当接面２４Ｂには予めイソシアネートを塗布することによりイソシアネート層３０を形成し、サイド部１８，１８をやや軟らかめに形成するために第２モールド部２４のサイド部当接面２４Ｃ，２４Ｃには予めポリオールを塗布することによりポリオール層３２を形成しておく。
そして、イソシアネートとポリオールの混合液を前記モールド２０の注入孔２８に注入すると空洞部２６内でイソシアネートとポリオールが反応して発泡したウレタンフォーム１２が生成される。
なお、前記第２モールド部２４の頚椎支持部当接面２４Ａ及び頭部支持部当接面２４Ｂには予めイソシアネート層３０が形成され、サイド部当接面２４Ｃ，２４Ｃには予めポリオール層３２が形成されているので、頚椎支持部当接面２４Ａ及び頭部支持部当接面２４Ｂはイソシアネートの割合が多くなって頚椎支持部１４及び頭部支持部１６はやや硬めに形成され、サイド部当接面２４Ｃ，２４Ｃはポリオールの割合が多くなってサイド部１８，１８はやや軟らかめに形成される。
【０００９】
次に、前記第１実施例の異硬度ウレタン枕１０の作用について説明する。
前記異硬度ウレタン枕１０を使用する場合は枕使用者の頚椎部を頚椎支持部１４に対応させ、枕使用者の頭部を頭部支持部１６に対応させる。
前記異硬度ウレタン枕１０の頚椎支持部１４及び頭部支持部１６はやや硬めに形成されているので、枕使用者の頚椎部及び頭部はやさしくかつ確実に支持される。また、枕使用者が寝返り等をして横寝状態になっても枕使用者の側頭部はやや軟らかめに形成されたサイド部１８，１８によってソフトな感触で支持される。
従って、枕使用者の頚椎部や頭部は異硬度ウレタン枕１０にフィットしてトータルコンタクトで支持される。
なお、前記異硬度ウレタン枕１０はウレタンフォーム１２で一体形成されているため接着部は存在せず、接着部の存在による違和感によって安眠を妨げられることがない。
しかも、前記異硬度ウレタン枕１０はモールド２０にウレタンフォーム１２の原料であるイソシアネートとポリオールの混合液を注入することにより立体的に一体形成されるので簡単に製造することができると共に異硬度ウレタン枕１０の価格を抑えることができる。
【実施例２】
【００１０】
図６には本考案の異硬度ウレタン枕の第２実施例が示されている。なお、第１実施例と同一の構成は同一の符号を用いてその説明は省略する。
図６に示されるように、この異硬度ウレタン枕４０もウレタンフォーム１２で一体形成されている。
前記異硬度ウレタン枕４０の横方向中央部で手前側には頚椎支持部１４が平面視略半円形状に形成されている。また、前記異硬度ウレタン枕４０の横方向中央部で奥側には頚椎支持部１４に連続して頭部支持部１６が形成されている。
前記異硬度ウレタン枕４０の横方向両側には略長方形状のサイド部１８，１８が形成されている。
なお、他の構成、作用、効果は第１実施例の異硬度ウレタン枕と同一であるのでその説明は省略する。
【実施例３】
【００１１】
図７には本考案の異硬度ウレタン枕の第３実施例が示されている。なお、第１実施例と同一の構成は同一の符号を用いてその説明は省略する。
図７に示されるように、この異硬度ウレタン枕５０もウレタンフォーム１２で一体形成されている。
前記異硬度ウレタン枕５０の横方向中央部で手前側には頚椎支持部１４が形成され、異硬度ウレタン枕５０の横方向中央部で奥側には頭部支持部１６が形成されている。
前記異硬度ウレタン枕５０の横方向両側には略長方形状のサイド部１８，１８が形成されている。
なお、他の構成、作用、効果は第１実施例の異硬度ウレタン枕と同一であるのでその説明は省略する。
【００１２】
なお、前記異硬度ウレタン枕１０，４０，５０をウレタンフォームで一体形成する製造方法は上記実施例に記載した方法に限定されないことは勿論である。
例えば、モールド２０の内部の両サイド部にポリオールが多く配合されたイソシアネートとポリオールの混合液を注入し、モールド２０の内部の中央部にイソシアネートが多く配合されたイソシアネートとポリオールの混合液を注入してサイド部１８，１８をやや軟らかめに形成すると共に頚椎支持部１４及び頭部支持部１６をやや硬めに形成するようにして異硬度ウレタン枕１０，４０，５０を一体形成してもよい。
【００１３】
なお、実施例ではウレタンフォーム１２の原料としてイソシアネートとポリオールの混合液を使用したが、ウレタンフォーム１２の原料はイソシアネートとポリオールの混合液に限定されないことは勿論である。
【図面の簡単な説明】
【００１４】
【図１】第１実施例の異硬度ウレタン枕の斜視図である。
【図２】第１実施例の異硬度ウレタン枕の平面図である。
【図３】第１実施例の異硬度ウレタン枕の使用状態を示す斜視図である。
【図４】第１実施例の異硬度ウレタン枕の使用状態を示す縦断面図である。
【図５】第１実施例の異硬度ウレタン枕を製造するモールドの縦断面図である。
【図６】第２実施例の異硬度ウレタン枕の平面図である。
【図７】第３実施例の異硬度ウレタン枕の平面図である。
【符号の説明】
【００１５】
１０    異硬度ウレタン枕
１２    ウレタンフォーム
１４    頚椎支持部
１６    頭部支持部
１８    サイド部
【図１】
0003101489.tif 000003
【図２】
0003101489.tif 000004
【図３】
0003101489.tif 000005
【図４】
0003101489.tif 000006
【図５】
0003101489.tif 000007
【図６】
0003101489.tif 000008
【図７】
0003101489.tif 000009